(57)【特許請求の範囲】
【請求項１】
グリル庫内に被調理物を載置してバーナの燃焼熱により該被調理物を加熱調理し、器体上面に設けられた覗き窓から該被調理物の焼け具合を確認可能なガスグリル付きテーブルこんろにおいて、
上記覗き窓の外側に開閉可能に設けられ、閉状態である時は該覗き窓の外側からの汚れを防止する外側汚れ防止手段を設けるとともに、
該外側汚れ防止手段を、通常は付勢により閉成され、開操作により開成されるものとすることを特徴とするガスグリル付きテーブルこんろ。
【請求項２】
上記グリル庫内を照らす照明手段と、
上記外側汚れ防止手段を開操作する開操作手段と、
上記開操作手段の開操作に連動して上記照明手段を点灯させ、外側汚れ防止手段の閉成に連動して消灯させる照明連動機構と
を備えたことを特徴とする請求項１記載のガスグリル付きテーブルこんろ。
【請求項３】
上記覗き窓と上記グリル庫内の調理スペースとの間に開閉可能に設けられ、閉状態である時は上記被調理物から飛散してくる油の該覗き窓への付着を防止する内側汚れ防止手段と、
上記外側汚れ防止手段と上記内側汚れ防止手段と
を連動して開閉させる開閉連動手段とを備えたことを特徴とする請求項１または２記載のガスグリル付きテーブルこんろ。
【発明の詳細な説明】
【０００１】
【発明の属する技術分野】
本発明は、魚等の被調理物をグリル庫内で加熱調理するガスグリル付きテーブルこんろに関する。
【０００２】
【従来の技術】
従来からガスグリル付きテーブルこんろは、例えば、グリル庫から被調理物を出し入れするための開閉扉にガラス製の回動窓を備え、調理中の被調理物の焼け具合を確認できるように構成されている。
【０００３】
この焼け具合を更に確認し易くするために、器体の上面に窓ガラス（覗き窓）を設けたものが知られている。こうしたグリルは、覗き窓を覗くことにより、立った姿勢のままグリル庫内の被調理物の焼け具合を随時確認できる。
【０００４】
【発明が解決しようとする課題】
しかしながら、窓ガラスの上面には、こんろで天ぷら調理や炒めものをする際に飛散した油が付着してしまう。特に、一般的にこんろの方がグリルよりも頻繁に使用するため、窓ガラスの上面の方が汚れやすかった。
しかも、グリルやこんろを使用していない時にも、この付着油の上に埃が堆積して窓ガラスの上面にこびりつくため、汚れた窓ガラスからグリル庫内の様子を確認しにくかった。
【０００５】
本発明のガスグリル付きテーブルこんろは上記課題を解決し、グリル庫内の被調理物の焼け具合を良好に確認できるガスグリル付きテーブルこんろを提供することを目的とする。
【０００６】
【課題を解決するための手段】
上記課題を解決する本発明の請求項1記載のガスグリル付きテーブルこんろは、
グリル庫内に被調理物を載置してバーナの燃焼熱により該被調理物を加熱調理し、器体上面に設けられた覗き窓から該被調理物の焼け具合を確認可能なガスグリル付きテーブルこんろにおいて、
上記覗き窓の外側に開閉可能に設けられ、閉状態である時は該覗き窓の外側からの汚れを防止する外側汚れ防止手段を設けるとともに、
該外側汚れ防止手段を、通常は付勢により閉成され、開操作により開成されるものとすることを要旨とする。
【０００７】
また、本発明の請求項２記載のガスグリル付きテーブルこんろは、上記請求項１記載のガスグリル付きテーブルこんろにおいて、
上記グリル庫内を照らす照明手段と、
上記外側汚れ防止手段を開操作する開操作手段と、
上記開操作手段の開操作に連動して上記照明手段を点灯させ、外側汚れ防止手段の閉成に連動して消灯させる照明連動機構と
を備えたことを要旨とする。
【０００８】
また、本発明の請求項３記載のガスグリル付きテーブルこんろは、上記請求項１または２記載のガスグリル付きテーブルこんろにおいて、
上記覗き窓と上記グリル庫内の調理スペースとの間に開閉可能に設けられ、閉状態である時は上記被調理物から飛散してくる油の該覗き窓への付着を防止する内側汚れ防止手段と、
上記外側汚れ防止手段と上記内側汚れ防止手段とを連動して開閉させる開閉連動手段と
を備えたことを要旨とする。
【００１０】
上記構成を有する本発明の請求項１記載のガスグリル付きテーブルこんろは、外側汚れ防止手段を開くと、覗き窓からグリル庫内を視認でき、被調理物の焼け具合を確認できる。確認後、外側汚れ防止手段が閉じると、外側汚れ防止手段は覗き窓をグリル庫外側から覆い、こんろでの調理時に飛散してくる油や埃などが覗き窓の外側表面に付着しないようにして覗き窓が汚れることを防止できる。また、外側汚れ防止手段が閉方向に付勢されているため、外側汚れ防止手段の閉め忘れが生じることがない。よって、覗き窓の外側表面が汚れることを確実に防止する。また、被調理物の焼け具合を確認する時は、開操作により外側汚れ防止手段を開く。外側汚れ防止手段の開操作を止めると、わざわざ閉操作をしなくても自動的に外側汚れ防止手段が閉まることになる。よって、必要時以外は油や埃などを外側汚れ防止手段によって遮ることができるため、覗き窓の外側表面が汚れにくい。
【００１１】
また、本発明の請求項２記載のガスグリル付きテーブルこんろは、外側汚れ防止手段を開操作する開操作手段と照明手段とを連動させる照明連動機構を備えるため、外側汚れ防止手段の開操作をすると、自動的に照明手段が点灯し、覗き窓から被調理物の焼け具合を良好に確認できる。
確認後、外側汚れ防止手段の閉操作をすると、覗き窓の外側表面の汚れを防ぐことに加えて、自動的に消灯する。
なお、上記外側汚れ防止手段は、閉方向に付勢されていることから、当該外側汚れ防止手段が開操作されていない時は常に消灯された状態にあるので、上記照明手段が無駄に点灯状態になることがない。
【００１２】
また、本発明の請求項３記載のガスグリル付きテーブルこんろは、外側汚れ防止手段と内側汚れ防止手段とを連動させる開閉連動機構を備えるため、開閉操作手段で開操作をすると、外側汚れ防止手段および内側汚れ防止手段の両方が開いて、覗き窓からグリル庫内を視認でき、被調理物の焼け具合を確認できる。
確認後、開閉操作手段で閉操作をすると、外側汚れ防止手段が閉まると共に、内側汚れ防止手段が閉まって覗き窓をグリル庫内側から覆い、グリル庫内の被調理物から油が飛散してきても覗き窓の内側表面に付着しないようにするため、覗き窓の両面が汚れることを防止できる。
また、照明連動機構を備えている場合には、開操作をすると、自動的に照明手段も点灯し、被調理物の焼け具合を良好に確認できる。確認後、閉操作をすると、自動的に照明手段も消灯され、照明手段を無駄に点灯させることがない。
【００１３】
また、本発明の請求項４記載のガスグリル付きテーブルこんろは、外側汚れ防止手段が閉方向に付勢されているため、通常は覗き窓の外側表面が汚れることを確実に防止する。
また、被調理物の焼け具合を確認する時は、開操作により外側汚れ防止手段を開く。外側汚れ防止手段の開操作を止めると、わざわざ閉操作をしなくても自動的に外側汚れ防止手段が閉まり、必要時以外は油や埃などを外側汚れ防止手段によって遮ることができるため、覗き窓の外側表面が汚れにくい。
また、照明連動機構を備えている場合には、開操作をしていない時は常に消灯されており、照明手段の無駄な点灯をしない。
また、開閉連動手段を備えている場合には、外側汚れ防止手段と内側汚れ防止手段との両方が閉成方向に付勢され、開操作をしていない時は常に両方が閉まっており、覗き窓の両面の汚れを防止する。
【００１４】
【発明の実施の形態】
以上説明した本発明の構成・作用を一層明らかにするために、以下本発明のガスグリル付きテーブルこんろの好適な実施形態について説明する。
【００１５】
本発明の一実施形態としてのガスグリル付きテーブルこんろについて図１〜図９を用いて説明する。
テーブルこんろは、図９に示されるように、トッププレート１０に左右２組のこんろバーナ７４ａ，７４ｂが設けられ、それらの周囲に設けられた五徳７５ａ，７５ｂ上に図示しない調理鍋を載せ、テーブルこんろの前面に設けられる操作ボタン７１ａ，７１ｂを押すことにより、それぞれのこんろバーナ７４ａ，７４ｂが点火され、調理鍋が加熱されるものである。
こんろバーナ７４ａ，７４ｂ間の器体の中心部には、魚等の被調理物を焼くためのグリル１が設けられ、操作ボタン７１ｃを押して点火し加熱調理が行われる。
【００１６】
このグリル１は、図１〜図３に示すように片面焼きタイプのグリルで、被調理物Ｆを加熱調理するグリル庫１２を備える。
グリル庫１２には、上段左右側面に設けられ燃料ガスを燃焼させて被調理物Ｆを加熱するバーナ２０と、中段に設けられ被調理物Ｆを載せる焼網２２と、底部に設けられ焼網２２を載せたまま手前にスライドさせて引き出すことができる受皿２４とを備える。
【００１７】
グリル庫１２の正面中央には、受皿２４と一体的に固定され受皿２４を手前に引き出す取手６２と、受皿２４を引き出す時に連動して開閉する開閉扉６１とが設けられ、その開閉扉６１にはガラス製の回動窓６１ａが設けられる。
取手６２を手前に引き出すと、取手６２に固定された受皿２４がグリル庫１２の底面をスライドし、受皿２４に載置された焼網２２が同時に引き出される。
【００１８】
グリル庫１２の左右側面に設けたバーナ２０は、多孔質セラミックの平面プレートに多数の小炎口を貫通させた燃焼面を有し、燃焼に必要な空気の殆どを一次空気として吸入する全一次空気式のバーナである。
尚、バーナ２０に臨んで図示しない点火電極が設けられる。
【００１９】
グリル庫１２の背部には、仕切壁５２を介して排気室５０を併設し、この仕切壁５２に開口してグリル庫１２と排気室５０とを連通する連通口５４を焼網２２よりも下方に設けている。従って、バーナ２０から発生した燃焼排気をいったん庫内に充満させた後、排気室５０を介して排気口５１より排出されるよう排気路を構成している。
【００２０】
トッププレート１０には、五徳７５ａ，ｂの手前中央に、図８に示されるように、グリル庫１２内の被調理物Ｆを確認するための長方形の下窓孔１０ａが横長に開口される。この下窓孔１０ａの左右両側には、支持軸孔１０ｃを形成した支持板１０ｂが設けられる。また、下窓孔１０ａと右側の支持板１０ｂとの間には、リンク通し孔１０ｄが形成される。
【００２１】
グリル庫１２の天井部となるグリル天板３０は、トッププレート１０より低い位置に形成され、その手前側には、筒状で上部ほど狭く形成された突出枠３０ａが下窓孔１０ａから突き出て設けられ、その上端全周を内側へ折り曲げて窓取付部３０ｂが形成される。この窓取付部３０ｂは、奥側ほど若干高く傾斜して形成され、その内周は、長方形の上窓孔３０ｆとして形成される。
突出枠３０ａは、前部３０ｃと後部３０ｄと左右の鉛直面となる側部３０ｅとからなる。この側部３０ｅの左右外側には、コの字形状のスペーサ３９を介して、先端を内側に折り曲げた引掛片３７ａを形成する板バネ３７が立設される。
【００２２】
また、上窓孔３０ｆの上には、図４，図５に示されるように、覗き窓組立３８が設けられる。この覗き窓組立３８は、上窓孔３０ｆより大きい長方形状の耐熱ガラスで形成された窓ガラス４０（覗き窓）と、窓ガラス４０の前後に設けられ窓ガラス４０の前後の移動を制限する前後押さえ３４と、窓ガラス４０の左右に設けられ窓ガラス４０を下から支える窓受け３６と、窓ガラス４０の外周を上から覆う外枠３５と、窓ガラス４０と外枠３５との隙間を埋めるパッキン３２と、外枠３５の外周に嵌着されるパッキン枠６４とにより構成される。
【００２３】
覗き窓組立３８の窓受け３６は、図４〜図７に示されるように、窓ガラス４０の左右側面に当接する垂直面３６ａと、窓ガラス４０の下面を支えるために垂直面３６ａの前後下部を水平に内側に曲げた支え面３６ｂ，３６ｃと、垂直面３６ａと同一面で支え面３６ｂと支え面３６ｃとの間から下方に伸びて形成され板バネ３７の引掛片３７ａを掛止するバネ孔３６ｅが開口されたバネ受け部３６ｄと、カシメ用の水平鍔部３６ｆとを備える。尚、図７は、外枠３５とパッキン枠６４とを組み付ける前の覗き窓組立３８を示す。
【００２４】
一方、覗き窓組立３８の前後押さえ３４は、窓ガラス４０の前面と後面とに当接する垂直面３４ａと、垂直面３４ａの上端から外側（窓ガラス４０から見て）へ下向きに傾斜する傾斜面３４ｂと、カシメ用の水平鍔部３４ｃとからなる。
【００２５】
覗き窓組立３８は、窓受け３６の支え面３６ｂ，３６ｃの上に窓ガラス４０を載置し、前後押さえ３４を窓ガラス４０の前後に並べ、窓ガラス４０上にパッキン３２を載せて、外枠３５を窓ガラス４０に上から被せ、窓受け３６の水平鍔部３６ｆと前後押さえ３４の水平鍔部３４ｃとを外枠３５の外周でかしめて、その外枠３５の外周を、上下段に水平内周切り込みの入ったパッキン枠６４の上段切り込みにはめて一体となる。
【００２６】
こうして形成される覗き窓組立３８は、図５，図８に示されるように、グリル天板３０の窓取付部３０ｂに長方形リング形状の断熱材３３を載置した上から押さえられ、窓受け３６のバネ孔３６ｅにグリル天板３０の板バネ３７の引掛片３７ａがはまって突出枠３０ａに固定される。
【００２７】
この時、断熱材３３が押し潰されて窓取付部３０ｂと窓ガラス４０とに密着するため、調理鍋から煮汁がふきこぼれても上窓孔３０ｆを通ってグリル庫１２に入ることはない。また、断熱材３３は、グリル庫１２の熱によるトッププレート１０への加熱を抑えると共に、グリル庫１２から燃焼排気がトッププレート１０へ流出することを防止する。
しかも、パッキン枠６４がトッププレート１０上面に接する際、パッキン枠６４の下段切り込みがクッションとなるため、トッププレート１０上面が外枠３５により傷つくことを防止する。
【００２８】
一方、覗き窓組立３８を取り外す時は、外枠３５を上方に引っ張って板バネ３７の引掛片３７ａをバネ孔３６ｅから外す。このように取り外すことにより、調理鍋から直接煮汁がかかって窓ガラス４０が汚れても、水洗いすることができる。
【００２９】
窓ガラス４０の下方には、図１〜図３に示されるように、窓ガラス４０を下から覆うような位置に内扉８１（内側汚れ防止手段）が設けられる。尚、図１および図３は、内扉８１の開状態を示し、図２は、閉状態を示している。
この内扉８１の両側には支持片８１ａが設けられ、突出枠３０ａの側部３０ｅの手前上方に貫通されるリンク棒８２を支持片８１ａに挿通して内扉８１が軸支される。このリンク棒８２は、左右の支持片８１ａ間を曲折して設けられ、その途中で内扉８１の掛止片８１ｂと連結され、内扉８１と共に回動可能となる。
【００３０】
内扉８１を開閉させるために、リンク棒８２の右端となるアーム連結部８２ａがＬ型アーム８３と連結される。このＬ型アーム８３は、図３に示される支え板８４の支点８４ａを中心に上下に回動可能に設けられ、図９に示されるように、その先端が器体前面に形成された縦長のレバー開口７２から突き出てつまみ８６が嵌着される。また、グリル庫１２上部には、図１に示されるように、Ｌ型アーム８３の上部先端を図面左方向へ付勢する引っ張りバネ８５が設けられる。
【００３１】
窓ガラス４０の上方には、図１〜図３に示されるように、窓ガラス４０を上から覆う位置に外扉９１（外側汚れ防止手段）が設けられる。尚、図１および図３は、外扉９１の開状態を示し、図２は、閉状態を示している。
この外扉９１の両側には左支持片９１ａ，右支持片９１ｂがそれぞれ設けられ、各支持片９１ａ，ｂには扉軸孔９１ｃがそれぞれ形成される。この扉軸孔９１ｃと、トッププレート１０に設けられた支持板１０ｂの各支持軸孔１０ｃとにそれぞれ軸を通して、外扉９１を回動可能に軸支する。
【００３２】
また、右支持片９１ｂの下端は、リンクワイヤー９２が接続される。このリンクワイヤー９２は、トッププレート１０に形成されたリンク通し孔１０ｄを貫通し、グリル庫１２の右側壁に設けられた自在ローラー９３に係合し、その先端がＬ型アーム８３に接続され、外扉９１，内扉８１と共に回動可能となる。
【００３３】
従って、Ｌ型アーム８３が引っ張りバネ８５により支点８４ａを軸にして図１の反時計回り方向に付勢され、図２に示されるように、内扉８１は、覗き窓組立３８に当接する閉位置（上）に至って静止し、一方、外扉９１は、覗き窓組立３８に当接する閉位置（下）に至って静止する。
また、つまみ８６を開位置（下）へ回動させると、Ｌ型アーム８３，リンク棒８２を介して内扉８１が、図面反時計回り方向へ回動して突出枠３０ａの下方手前側へ隠れると共に、リンクワイヤー９２を介して外扉９１が、図面反時計回り方向へ回動して開き、グリル庫１２内を覗くことができる。この時、グリル庫１２内に光が差込むため、グリル庫１２内の様子をグリル庫１２の奥の方まで確認できるようになる。
【００３４】
グリル天板３０の前部３０ｃの中央で内扉８１の上方には、グリル庫１２内を照らすランプ５５が設けられ、グリル庫１２底面には、ランプ５５の電源供給源となる乾電池５８が設けられ、また、Ｌ型アーム８３の下方には、ランプ５５用の照明スイッチ５６を備えたスイッチ台５７が設けられる。この照明スイッチ５６は、Ｌ型アーム８３が下降して押されている間のみオンになるように配置される。
このようにして、外扉９１と内扉８１とを連動させる開閉連動機構（リンクワイヤー９２，Ｌ型アーム８３，リンク棒８２）と、外扉９１とランプ５５とを連動させる照明連動機構（リンクワイヤー９２，Ｌ型アーム８３）とが設けられる。
【００３５】
上述したグリル付テーブルこんろによれば、操作ボタン７１ｃを押すと、バーナ２０へのガス流路を開閉する開閉弁が開弁され、バーナ２０から燃料ガスが噴出されると共に、点火電極の連続放電により点火する。
調理中にバーナ２０で発生した高温の燃焼排気は、いったんグリル庫１２の上部に溜まり連通口５４から溢れて、排気室５０を介して排出される。従って、被調理物Ｆは、輻射熱と滞留した排気熱とにより加熱され、被調理物Ｆが効率良く調理される。
【００３６】
通常、つまみ８６は引っ張りバネ８５に付勢されて閉位置にあり、外扉９１が閉まっているため、こんろ調理で飛散してきた油が窓ガラス４０の上面（外側表面）に付着することはなく、また、内扉８１が閉まっているため、調理中に被調理物Ｆからの焼き油Ｇや油煙が窓ガラス４０の下面（内側表面）に付着することはない。
しかも、グリルやこんろを使用していない時にも、外扉９１が窓ガラス４０を外側から覆っているため、埃が窓ガラス４０に堆積することがなく、油と埃による汚れを一層防止できる。
【００３７】
調理の様子を確認したい時は、つまみ８６を開位置へ操作することにより内扉８１と外扉９１とを開けグリル庫１２内を覗くことができ、しかも、開操作と同時に、Ｌ型アーム８３が照明スイッチ５６を押してランプ５５が自動的に点灯し、被調理物Ｆを照明する。
確認後、つまみ８６から手を離すと引っ張りバネ８５の付勢力により自動的に閉位置に戻り、内扉８１，外扉９１とが閉まって再び窓ガラス４０の両面が油等によって汚れることを防止する。同時に、ランプ５５は自動的に消灯する。
【００３８】
従って、つまみ８６を操作するだけで、内扉８１と外扉９１との両方を同時に開けて照明を点灯することができ、操作が簡単で使い易い。
更に、ランプ５５を点灯させるためのランプ手動操作部（例えばレバー），内扉８１の開閉装置，外扉９１の開閉装置（Ｌ型アーム８３等）をそれぞれ別々に設けなくてもよいため、製造コストを抑えることができ、しかも、このランプ手動操作部のためのスペースが要らず、グリル庫１２を広々と使用することができる。
また、つまみ８６を操作しない限り、内扉８１と外扉９１とが引っ張りバネ８５の付勢力により常に閉まっているため、閉め忘れにより窓ガラス４０が汚れてしまうといった不具合を防止できる。
同様に、ランプ５５の消し忘れも防止できる。つまり、被調理物Ｆの焼け具合を確認したい時だけランプ５５が点灯するため、ランプ５５および乾電池５８の寿命が延び、長期に渡ってランプ５５および乾電池５８を使用することができる。
【００３９】
被調理物Ｆの焼け具合を確認しない時は、窓ガラス４０と同様にランプ５５が内扉８１により調理スペースから隠れるため、ランプ５５に被調理物Ｆから飛散してくる汚れＧが付着することを防止できる。従って、長期に渡ってランプ５５を使用しても、油汚れの付着によって暗くなることがなく、被調理物Ｆの焼け具合を良好に確認できる。また、内扉８１，外扉９１の開閉とランプ５５の点灯・消灯切り替え動作との間に遅れが生じないので、内扉８１，外扉９１が開いている時は常にランプ５５が点灯しており、すぐに被調理物Ｆの焼け具合を確認できて使い勝手が良い。
【００４０】
窓ガラス４０の汚れが気になる場合には、覗き窓組立３８の外枠３５の外周をつかんで覗き窓組立３８を器体から簡単に取り外して、汚れた覗き窓組立３８を水洗いすることができ、再び良好に被調理物Ｆの焼け具合を確認できる。
【００４１】
加えて、窓ガラス４０がグリル天板３０よりも高い位置の窓取付部３０ｂにあって被調理物Ｆから遠ざかるため、加熱調理中に内扉８１を開けていても、被調理物Ｆから飛び散った焼き油Ｇや油煙が窓ガラス４０の下面に付着しにくく、しかも、窓ガラス４０がグリル庫１２内の雰囲気により加熱されにくい。また、内扉８１により窓ガラス４０やランプ５５が過熱されることを防止する。
この結果、煮汁，焼き油Ｇや油煙が窓ガラス４０に焦げ付きにくくなり、視界を確保できて被調理物Ｆの焼け具合を良好に確認できる。
【００４２】
以上本発明の実施形態について説明したが、本発明はこうした実施形態に何等限定されるものではなく、本発明の要旨を逸脱しない範囲において、種々なる態様で実施し得ることは勿論である。例えば、本実施形態では、片面焼きグリルにおいて説明したが、焼網の上下にバーナを設けた両面焼きグリルに適用しても差し支えない。また、バーナをグリル庫天井面などの上部に設けてもよい。また、内扉８１，外扉９１に代えて、シャッターのようにスライドして窓ガラス４０が汚れることを防止する汚れ防止手段を設けてもよい。また、照明手段は、ランプに限らず、バーナの火炎でセラミック棒を赤熱させてもよいし、バーナのインプットを増大して庫内照明を行ってもよい。
【００４３】
【発明の効果】
以上詳述したように、本発明の請求項１記載のガスグリル付きテーブルこんろによれば、覗き窓をグリル庫外側から覆うため、こんろ調理時に飛散してくる油や埃の堆積による覗き窓の汚れを防止できる。また、外汚れ防止手段の閉操作をしなくても、覗き窓が閉成され、外汚れ防止手段の閉め忘れを防ぐことができ、確実に覗き窓の汚れを防止する。
【００４４】
更に、本発明の請求項２記載のガスグリル付きテーブルこんろによれば、外汚れ防止手段が開操作されたときに自動的に照明手段が点灯されるので、操作が簡単で使いやすい。
また、外汚れ防止手段は付勢により閉成される構成となっており、かつ該外汚れ防止手段の閉操作に連動して照明手段が消灯する構成になっているので、なんら消灯操作をすることなく照明手段の消し忘れを防止でき、照明手段を長期に渡って使用することができる。また、照明操作具を新たに設けなくてもよく、そのスペースが不要になり、製造コストを抑えることができる。
加えて、被調理物の焼け具合を確認したい時だけ照明手段が点灯するため、照明手段の寿命が延び、長期に渡って照明手段を使用することができる。
【００４５】
更に、本発明の請求項３記載のガスグリル付きテーブルこんろによれば、覗き窓をグリル庫内側からも覆うため、グリル調理時に被調理物から飛散してくる焼き油や油煙による覗き窓の内側表面の汚れも防止でき、つまり、覗き窓の両面が汚れなくなる。
しかも、外汚れ防止手段と内汚れ防止手段とが連動するため、簡単に操作できる。
加えて、内汚れ防止手段用の操作具を新たに設けなくてもよく、そのスペースが不要になり、製造コストを抑えることができる。
また、照明連動機構を備えた場合には、外汚れ防止手段と内汚れ防止手段と照明手段とを連動して操作でき、非常に使いやすい。
【００４６】
更に、本発明の請求項４記載のガスグリル付きテーブルこんろによれば、外汚れ防止手段の閉操作をしなくても、覗き窓が閉成され、外汚れ防止手段の閉め忘れを防ぐことができ、確実に覗き窓の汚れを防止する。
また、照明連動機構を備えた場合には、照明手段の消灯操作をする必要も無いため、照明手段の消し忘れを防止でき、照明手段を長期に渡って使用することができる。
また、開閉連動機構を備えた場合には、内汚れ防止手段の閉操作をする必要がなく、その閉め忘れを防止できる。
【図面の簡単な説明】
【図１】グリルを側面からみた断面図である。
【図２】グリルを側面からみた断面図である。
【図３】グリルを正面からみた断面図である。
【図４】覗き窓組立を側面からみた断面図である。
【図５】覗き窓組立を正面からみた断面図である。
【図６】窓受けの斜視図である。
【図７】覗き窓組立の一部を上面からみた断面図である。
【図８】覗き窓組立を外したテーブルこんろの外観図である。
【図９】テーブルこんろの外観図である。
【符号の説明】
１…グリル、１０…トッププレート、１０ｂ…支持板、１２…グリル庫、２０…バーナ、３０…グリル天板、３８…覗き窓組立、４０…窓ガラス、５５…ランプ、５６…照明スイッチ、８１…内扉、８２…リンク棒、８３…Ｌ型アーム、８５…引っ張りバネ、８６…つまみ、９１…外扉、９２…リンクワイヤー、９３…自在ローラー、Ｆ…被調理物。
【図１】
0003845007.tif 000002
【図２】
0003845007.tif 000003
【図３】
0003845007.tif 000004
【図４】
0003845007.tif 000005
【図５】
0003845007.tif 000006
【図６】
0003845007.tif 000007
【図７】
0003845007.tif 000008
【図８】
0003845007.tif 000009
【図９】
0003845007.tif 000010